(57)【要約】【課題】  手や腕のマッサージに使用しないときは腕を置く位置が制限されない椅子式マッサージ機を提供する。【解決手段】  座面３、背もたれ２、肘掛け４を備えた椅子式マッサージ機である。肘掛け４の肘掛け本体４ａの上面に上下に開閉するカバー片６を設ける。カバー片６の下面または肘掛け本体４ａの上面の少なくともいずれか一方にマッサージ手段７，８を設ける。カバー片６の下面と肘掛け本体４ａの上面との間に手や腕を挟持した状態を保って上記マッサージ手段７，８を駆動するようにすると共に、カバー片６を閉じてマッサージ手段７，８を駆動しない状態でカバー片６の上面が肘掛け面となるようにする。【選択図】        図１
2005177279.tif 000002
【特許請求の範囲】
【請求項１】
座面、背もたれ、肘掛けを備えた椅子式マッサージ機において、肘掛けの肘掛け本体の上面に上下に開閉するカバー片を設け、カバー片の下面または肘掛け本体の上面の少なくともいずれか一方にマッサージ手段を設け、カバー片の下面と肘掛け本体の上面との間に手や腕を挟持した状態を保って上記マッサージ手段を駆動するようにすると共に、カバー片を閉じてマッサージ手段を駆動しない状態でカバー片の上面が肘掛け面となるようにしたことを特徴とする椅子式マッサージ機。
【請求項２】
マッサージ手段を駆動して手や腕のマッサージをしない状態ではカバー片を閉じた状態として保持できるようにしたことを特徴とする請求項１記載の椅子式マッサージ機。
【請求項３】
カバー片が肘掛け本体の前方に設けられた支点を中心として回転しながら上方に開くようにしたことを特徴とする請求項１記載の椅子式マッサージ機。
【請求項４】
カバー片にはカバー片を開閉方向に付勢する付勢手段を備え、カバー片の開閉位置により上記付勢手段で付勢する力の大きさが変化し、カバー片の開閉可動範囲の間で上記付勢手段による力とカバー片の重量が釣り合い、カバー片が釣り合い位置より開いている場合は上記付勢手段による上方向への力がカバー片の重量より大きく、カバー片が釣り合い位置より閉じてい場合は上記付勢手段による上方向への力がカバー片の重量より小さくなるようにしたことを特徴とする請求項１記載の椅子式マッサージ機。
【請求項５】
カバー片を開いた際の固定角度を調節できるようにしたことを特徴とする請求項１記載の椅子式マッサージ機。
【請求項６】
手または腕に対してポイント押しを施すための突起部をマッサージ手段に設けたことを特徴とする請求項１記載の椅子式マッサージ機。
【請求項７】
手の掌の合谷のつぼを圧迫する位置に突起部を設けたことを特徴とする請求項６記載の椅子式マッサージ機。
【請求項８】
突起部に合谷のつぼに合わせるための位置決め機構を設けたことを特徴とする請求項７記載の椅子式マッサージ機。
【請求項９】
肘掛け本体の上面とカバー片の下面の対向する面に備えた少なくとも２つのマッサージ手段により腕を掴むマッサージが可能なことを特徴とする請求項１記載の椅子式マッサージ機。
【請求項１０】
少なくとも２つのマッサージ手段は腕の中心線の両側にあり、マッサージ手段の中心線側が固定されていることを特徴とする請求項９記載の椅子式マッサージ機。
【請求項１１】
マッサージ手段に腕に対する施療の位置の位置ずれを起こさないようにするための位置調整手段を具備したことを特徴とする請求項１０記載の椅子式マッサージ機。
【発明の詳細な説明】
【技術分野】
【０００１】
本発明は、使用者の手、腕をマッサージする機能を備えた椅子式マッサージ機に関するものである。
【背景技術】
【０００２】
従来から、座面、背もたれ、肘掛けを備えた椅子式マッサージ機において、肘掛けに使用者の手、腕をマッサージする手段を備えたものは広く知られている（例えば、特許文献１、特許文献２、特許文献３参照）。
【０００３】
例えば、特許文献１には、圧縮空気による膨張施療を人体の手部に施すことができ、肘幅方向の両側に立ち上がり壁を設けた肘掛けが記載されている。また特許文献２には、圧縮空気による膨張施療を人体の手部に施すことができ、肘幅方向の一方に弧状に形成された立ち上がり壁を設けた肘掛けが例示されている。また特許文献３には、圧縮空気による膨張施療を人体の手部に施すことができ、肘幅方向の一方に立ち上がり壁を設けた肘掛けが例示されている。
【特許文献１】特開２００３−１８０７７３号公報
【特許文献２】特開２００３−１８０７７４号公報
【特許文献３】特開２００３−１５３９７０号公報
【発明の開示】
【発明が解決しようとする課題】
【０００４】
従来から広く知られているような上記例においては、肘掛けの一方若しくは両側に立ち上がり壁が設けられており、腕のマッサージを使用しない時でも使用者が肘掛けに腕を置く位置が制限されるため窮屈に感じ、リラックスできないという問題があった。また立ち上がり壁によって構成された施療のための溝部の幅が固定であるため、使用者の腕の太さによってマッサージ感が異なってしまうという問題があった。
【０００５】
また従来から知られているような上記例においては、手、腕を面で圧迫するためにソフトな施療感となってしまい、使用者によっては物足りなく感じるという問題があった。さらに上記例では両側の立ち上がり壁からのマッサージとなるために上面から腕を掴むということに対するマッサージ感が弱いという問題があった。
【０００６】
本発明は上記の従来の問題点に鑑みて発明したものであって、手や腕のマッサージに使用しないときは腕を置く位置が制限されない椅子式マッサージ機を提供することを課題とし、またソフトな刺激感では物足りない使用者に対してポイント刺激を行うことができる椅子式マッサージ機を提供することを課題とし、さらに上面から腕を掴むマッサージができる椅子式マッサージ機を提供することを課題とするものである。
【課題を解決するための手段】
【０００７】
上記課題を解決するために本発明に係る椅子式マッサージ機は、座面、背もたれ、肘掛けを備えた椅子式マッサージ機において、肘掛けの肘掛け本体の上面に上下に開閉するカバー片を設け、カバー片の下面または肘掛け本体の上面の少なくともいずれか一方にマッサージ手段を設け、カバー片の下面と肘掛け本体の上面との間に手や腕を挟持した状態を保って上記マッサージ手段を駆動するようにすると共に、カバー片を閉じてマッサージ手段を駆動しない状態でカバー片の上面が肘掛け面となるようにしたことを特徴とする。
【０００８】
手や腕のマッサージを行うときはカバー片を開いてカバー片と肘掛け本体の上面との間に手や腕を入れて手や腕を挟持した状態を保ってマッサージ手段を駆動することで手や腕のマッサージをすることができる。またマッサージ手段を駆動してマッサージを行わないときはカバー片を閉じることでカバー片の上面の肘掛け面に腕を置くことができ、腕を置く位置が制限されなくなるので、窮屈に感じることがなくリラックスできるようになる。
【０００９】
またマッサージ手段を駆動して手や腕のマッサージをしない状態ではカバー片を閉じた状態として保持できるようにしたことを特徴とすることも好ましい。この場合、閉じた状態を保持したカバー片の上面の肘掛け面の上に安定よく腕を置くことができ、一層リラックスできるようになる。
【００１０】
またカバー片が肘掛け本体の前方に設けられた支点を中心として回転しながら上方に開くようにしたことを特徴とすることも好ましい。この場合、肘掛け本体の上面とカバー片の下面との間の間隔が、肘掛け本体の前方程狭く、肘掛け本体の後方程広くなり、人の指先から腕までの厚み変化と同様になるため、マッサージ手段として空気袋によりマッサージを行う場合は少ない空気量で人体に圧迫を与えることが可能になり、機器のエネルギー使用量を抑えることができるようになる。また吸気、排気に要する時間の短縮により、より効果の高いテンポのよいマッサージが可能になる。またマッサージ手段が施療体を出し入れして人体を押圧するマッサージを行う場合には、施療体の必要な突出量を小さくできるため、マッサージ手段の駆動機構の大きさをより小さくすることが可能となり、軽量化、意匠の向上につながる。
【００１１】
またカバー片にはカバー片を開閉方向に付勢する付勢手段を備え、カバー片の開閉位置により上記付勢手段で付勢する力の大きさが変化し、カバー片の開閉可動範囲の間で上記付勢手段による力とカバー片の重量が釣り合い、カバー片が釣り合い位置より開いている場合は上記付勢手段による上方向への力がカバー片の重量より大きく、カバー片が釣り合い位置より閉じてい場合は上記付勢手段による上方向への力がカバー片の重量より小さくなるようにしたことを特徴とすることも好ましい。この場合、カバー片が一度開くと、カバー片の自重により自然に閉じることがなくなるため、カバー片を開き、カバー片と肘掛け本体との間に手や腕を入れるという腕マッサージのための一連の動作が、片手のみで簡単に行える。またマッサージ手段が空気袋による圧迫マッサージを行うものとした場合、空気袋の膨張、収縮を繰り返している状態で使用者が不在となり放置された際に、カバー片が連続して開閉動作を行うことがなくなり、長寿命化できる。さらに付勢手段によりカバー片の重量を相殺するため、カバー片を開く操作力を軽減することが可能となる。
【００１２】
またカバー片を開いた際の固定角度を調節できるようにしたことを特徴とすることも好ましい。カバー片を開いた際の固定角度を調節できるようになるため、使用者が腕の太さに合わせて開閉量を調節できるようになり、腕の太さに拘わらず一定の腕マッサージの圧迫力、圧迫時間が得られるようになる。またマッサージ手段による圧迫力が一定であった場合でもカバー片の開き量を大きくすれば体感的にマッサージ力が弱く感じられ、またカバー片の開き量を小さくすれば体感的にマッサージ力が強く感じられるため、マッサージ手段の出力制御を行うことなく、より容易に強弱調整を実現できるようになる。
【００１３】
また手または腕に対してポイント押しを施すための突起部をマッサージ手段に設けたことを特徴とすることも好ましい。この場合、普通に椅子に着座して手や腕を肘掛けに置いた姿勢で、肘掛け本体の上面とカバー片の対向する面の上下からマッサージ手段にてポイント刺激を行うことができ、少しきつめのマッサージ施療感を使用者に与えることができる。
【００１４】
また手の掌の合谷のつぼを圧迫する位置に突起部を設けたことを特徴とすることも好ましい。この場合、大腸の働きが調整されると言われる合谷のつぼを効果的に圧迫することができる。
【００１５】
また突起部に合谷のつぼに合わせるための位置決め機構を設けたことを特徴とすることも好ましい。この場合、カバー片を開いた状態でカバー片と肘掛け本体との間に手を挿入するだけでも目視確認することもなく突起部と掌の合谷の位置とを簡単に合わせることができる。これにより手の甲等の間違った位置への突起部によるポイント刺激を防止できる。
【００１６】
また肘掛け本体の上面とカバー片の下面の対向する面に備えた少なくとも２つのマッサージ手段により腕を掴むマッサージが可能なことを特徴とすることのも好ましい。この場合、腕を上から掴むマッサージ感が弱いという問題を解決できる。
【００１７】
また少なくとも２つのマッサージ手段は腕の中心線の両側にあり、マッサージ手段の中心線側が固定されていることを特徴とすることも好ましい。この場合、人体の腕の特に疲れやすいとされる腕上部の筋肉（腕撓骨筋）に対し、人が実際にマッサージするような外側から腕を掴むというマッサージを行うことができる。
【００１８】
またマッサージ手段に腕に対する施療の位置の位置ずれを起こさないようにするための位置調整手段を具備したことを特徴とすることも好ましい。この場合、腕の太さによるマッサージ感の違い（例えば太い人は痛く、細い人は弱い）を解消でき、どのような人でも安定したマッサージ感を与えることが可能となる。
【発明の効果】
【００１９】
本発明は叙述の如く手や腕のマッサージを行うときはカバー片を開いてカバー片と肘掛け本体の上面との間に手や腕を入れて手や腕を挟持した状態を保ってマッサージ手段を駆動することで手や腕のマッサージすることができるという効果があり、またマッサージ手段を駆動してマッサージを行わないときはカバー片を閉じることでカバー片の上面の肘掛け面に腕を置くことができ、腕を置く位置が制限されなくなるので、窮屈に感じることがなくリラックスできるという効果がある。
【発明を実施するための最良の形態】
【００２０】
以下、本発明を添付図面に示す実施形態に基いて説明する。先ず図１乃至図５に示す実施の形態の例から説明する。
【００２１】
図１に示すように椅子１は背もたれ２、座面３、肘掛け４、オットマン５によって主体が構成されており、肘掛け４の肘掛け本体４ａの上面には上下に回動して開閉可能なカバー片６が設けられている。カバー片６の下面及び肘掛け本体４上面には夫々マッサージ手段７，８が設けられている。このマッサージ手段７，８は本例の場合、膨張、収縮可能な空気袋であり、空気供給管２１，２２により圧縮空気供給手段２３から空気が供給されるようになっている。本例の場合、マッサージ手段７，８は圧縮空気により膨張して人体に圧迫を与える空気袋としたが、施療体が出入りして人体を押圧してマッサージするものであってもよい。カバー片６の上面は肘掛け本体４ａの上面と略平行ななだらか面となって普通の肘掛け面になっている。
【００２２】
カバー片６は図１乃至図３に示す例では肘掛け本体４ａの前方に設けられた支点９にピン１０によって回転可能に支持されており、カバー片６が前部を中心に後部が上下して開閉するようになっている。かかるカバー片６の開閉方式の他の例としては図４や図５に示すようなものを採用することもできる。図４に示すものでは肘掛け本体４ａの幅方向の外側に設けられた支点２４を中心に椅子外側方向へ回転しつつ開くようになっている。図５に示すものではカバー片６が一対のリンク２５及びカバー片６に設けられたリンク支点２６及び肘掛け本体４ａに設けられたリンク支点２７によりほぼ同じ角度を保ったまま移動しつつ開くようになっている。
【００２３】
椅子１に使用者が座った状態で手や腕のマッサージをする場合、例えば図２に示すようにカバー片６を開き、カバー片６と肘掛け本体４ａとの間に手や腕を入れてカバー片６と肘掛け本体４ａとの間に手や腕を挟持し、マッサージ手段７，８を駆動して手や腕のマッサージを行う。また手や腕のマッサージを行わないときは、例えば図３に示すうようにカバー片６を閉じ、カバー片６の上面に手や腕を置いて通常の肘掛けとして使用する。このように手や腕をマッサージしないときカバー片６を閉じておくとき、手や腕を置く位置が制限されなくなるので、窮屈を感じることなくリラックスできるようになる。カバー片６を開いて手や腕のマッサージを行うとき、図２に示すように肘掛け本体４ａの前方に設けられた支点９を中心に回転しながらカバー片６を上に開くことができるようになっていると、肘掛け本体４ａの上面とカバー片６の下面との間隔が肘掛け本体４ａの前方程狭く、肘掛け本体４ａの後方程広くなり、人の指先から腕までの厚みの変化と同様になるため、マッサージ手段７，８として空気袋によるマッサージを行う場合は少ない空気量で人体に圧迫を与えることが可能になり、この機器のエネルギーの消費量を抑えることができるようになる。また吸気、排気に要する時間の短縮により、より効果の高いテンポのよいマッサージが可能となる。また施療体が出入りして人体を押圧するマッサージを行う場合には、施療体の必要な突出量が小さくできるため、駆動機構の大きさをより小さくすることが可能となり、軽量化、意匠の向上につながる。
【００２４】
また図２や図３に示すように肘掛け本体４ａにはカバー片６の移動方向に沿ってスリット１１が設けられており、カバー片６に装着されたステー１７にはピン１２が設けてあり、スリット１１にピン１２が摺動自在に挿通してあり、スリット１１とピン１２とでカバー片６の開閉可動範囲が決められている。上記ピン１２と、肘掛け本体４ａに設けられた支点１３に装着されたピン１４との間にはピン１２とピン１４との間の距離を広げる方向に付勢する付勢手段１５が設けられており、支点９、支点１３の位置は、カバー片６を完全に閉じた状態ではピン１２が支点９と支点１３とを結ぶ直線より下方に位置し、カバー片６を開いた状態ではピン１２が支点９と支点１３を結ぶ線より上方に位置するように設けられている。従って、図２に示すようにピン１２が支点９と支点１３よりも上方に位置する場合は、カバー片６が開く方向に力が与えられており、図３に示すようにピン１２が支点９と支点１３を結ぶ直線よりも下方に位置する場合は、カバー片６が閉じる方向に力が与えられることになる。図２に示すようなカバー片６が完全に開いた状態では付勢手段１５による力はカバー片６の重量よりも大きくなるようになっている。つまり、上記のように構成することにより、カバー片６の開閉位置により上記付勢手段１５で付勢する力の大きさが変化し、カバー片６の開閉可動範囲の間で上記付勢手段１５による力とカバー片６の重量が釣り合い、カバー片６が釣り合い位置より開いている場合は上記付勢手段１５による上方向への力がカバー片６の重量より大きく、カバー片６が釣り合い位置より閉じている場合は上記付勢手段１５による上方向への力がカバー片６の重量より小さくなるようになっている。上記付勢手段１５としては、一般に広く知られているばね、ゴム等の反発力、若しくは磁力を利用したものでも、高圧の流体を封入したシリンダとピストンによるものでも実施可能である。
【００２５】
上記のように付勢手段１５で付勢してある場合、一度カバー片６が開くとカバー片６の自重でカバー片６が自然に閉じることがなくなるため、カバー片６を開き、カバー片６と肘掛け本体４ａとの間に手や腕を入れるという手や腕のマッサージのための一連の動作が、片手のみで簡単に行える。またマッサージ手段７，８が空気袋による圧迫マッサージを行うものである場合、空気袋の膨張、収縮を繰り返している状態で使用者が不在となり放置された際に、カバー片６が連続して開閉動作を行うことがなくなり、長寿命化できる。さらに付勢手段１５でカバー片６の重量を相殺するため、カバー片６を開く操作力を軽減できる。
【００２６】
また図６、図７に示す実施の形態の例ではカバー片６を開いた際のカバー片６の固定角度を調整できるようになっている。図６に示すものではスリット１１にはカバー片６の開閉方向に移動する方向と異なる方向（略直交する方向）に係止溝１６が複数設けられている。カバー片６にはステー１７が支点１８において回転自在に装着してあり、ステー１７に装着されたピン１２がスリット１１に挿通してあり、ピン１２の先端は肘掛け本体４ａの外部に突出させてある。そしてカバー片６の開閉角度が、ピン１２と係止溝１６とが対応した位置にある状態では、ピン１２の先端を操作してピン１２を係止溝１６に入れるとカバー片６が固定される。つまり、カバー片６を開閉して任意の角度に設定した状態で、ピン１２を適宜の係止溝１６に係止することでカバー片６が固定される。また図７に示すものでは、ステー１７のスリット１１に挿通されたピン１２にネジ部１９が設けられており、ナット２０を締め付けることでカバー片６を任意の位置に固定することができるようになっている。
【００２７】
図６や図７の実施の形態の例のようにカバー片６を開いた際の固定角度を調整できると、使用者が腕の太さに合わせて開閉量を調節できるようになり、腕の太さに拘わらず一定のマッサージの圧迫力、圧迫時間を得られるようになる。またマッサージ手段７，８による圧迫力が一定であった場合でも、開き量を大きくすれば体感的にマッサージ力が弱く感じられ、開き量を小さくすれば体感的にマッサージ力が強く感じられるため、マッサージ手段７，８の出力制御を行うことなく、より容易に強弱調節を実現できるようになる。
【００２８】
次に図８乃至図１２に示す実施の形態の例について述べる。本例の図１乃至図５に示す実施形態の例と同じであり、同じ部分の説明は省略して異なる点だけを主に述べる。肘掛け本体４ａの上面やカバー片６の下面にはマッサージ手段７，８が設けられるが、手や腕のポイント押しを施すためのための突起部３０をマッサージ手段７，８に設けてある。本例の場合、カバー片６の下面のマッサージ手段７に突起部３０を設けてある。また本例の場合、突起部３０として手の掌の合谷のつぼ３１を押す手用突起部３０ａと腕を押す腕用突起部３０ｂとを有している。このように突起部３０を設けるものでも、カバー片６は図８乃至図１０に示すように肘掛け本体４ａの前方に設けられた支点９にピン１０によって回転可能に支持されていても、図１１に示すように肘掛け本体４ａの幅方向の外側に設けられた支点２４を中心に椅子外側方向へ回転しつつ開くようになっていても、図１２に示すようにカバー片６が一対のリンク２５及びカバー片６に設けられたリンク支点２６及び肘掛け本体４ａに設けられたリンク支点２７によりほぼ同じ角度を保ったまま移動しつつ開くようになっていてもよい。
【００２９】
普通に椅子１に着座して手や腕を肘掛け４に置いた姿勢で、カバー片６を開いてカバー片６と肘掛け本体４ａの上面との間に手や腕を入れて挟持した状態でマッサージ手段７，８を駆動することにより手や腕のマッサージができる。このとき突起部３０にて手や腕を押圧してポイント刺激を与えることができ、少しきつめのマッサージ施療感を使用者に与えることができる。手用突起部３０ａでは、大腸の働きが調整されると言われる合谷のつぼ３１を効果的に圧迫できる。
【００３０】
図１３の例では手用突起部３０ａを合谷のつぼ３１に合わせるための位置決め機構３２を設けてある。この位置決め機構３２はカバー片６または肘掛け本体４ａの固定された丸棒３２ａで構成されており、手の親指と人差し指の根元を繋いでいる凹曲部３３の最凹部に丸棒３２ａを宛がうことで手用突起部３０ａと合谷のつぼ３１とが合致するようになっている。かかる位置決め機構３２は本例の場合、丸棒３２ａであるが、カバー片６や肘掛け本体４ａに固定されてカバー片６の開閉に合わせて伸縮自在なばね、ゴム紐等の弾性体であってもよい。このように位置決め機構３２を設けてあると、カバー片６を開いた状態でカバー片６と肘掛け本体４ａとの間に手を挿入するだけで目視確認もすることなく手用突起部３０ａと合谷のつぼ３１の位置を簡単に合わせることができる。これにより手の甲の間違った位置への手用突起部３０ａによるポイント刺激を防止できる。
【００３１】
また図１４に示す例ではマッサージ手段７と別体に突起部３０を設けてあり、この突起部３０が手や腕に沿った方向に移動自在に設けてある。本例の場合、突起部３０として手用突起部３０ａを移動自在にしてある。手用突起部３０ａと位置決め機構３２の丸棒３２ａとを台座３４に一体に設けてあり、カバー片６や肘掛け本体４ａに設けたスリット３５に丸棒３２ａを摺動自在に装着してある。このようにしてあると、手や腕に沿った方向に手用突起部３０ａや丸棒３２ａを移動させることができ、椅子１をリクライニングした際に肘掛け部４に対する手や腕の位置が変わってもそれに合わせて手用突起部３０ａや丸棒３２ａを移動できるようになっている。このようにしてあると、背もたれ２を後にリクライニングしても手用突起部３０ａを合谷のつぼ３１に合わせることができ、つぼ３１に適切にポイント刺激を行うことができる。
【００３２】
また図１５に示す例では、突起部３０としての手用突起部３０ａや位置決め機構３２としての丸棒３２ａが背もたれ２のリクライニングと連動するようになっている。座部３の座フレーム３６と背もたれ２の背部フレーム３７とをリクライニング支点３８にて回転自在に連結してある。手用突起部３０ａと丸棒３２ａはスリット３５に対して移動自在に装着してあり、丸棒３２ａと背部フレーム３７とをリンク３９にて連結してある。このようにしてあると、背もたれ２のリクライニングに応じて手用突起部３０ａや丸棒３２ａが連動して移動する。従って、使用者がわざわざ背もたれ２をリクライニングしたり戻したりする度に手用突起部３０ａを移動して位置調整しなくても、背もたれ２に連動して手用突起部３０ａが移動して手用突起部３０ａと合谷のつぼ３１とが合致する。
【００３３】
また図１６に示す例では、椅子１の背もたれ２をリクライニングした際に背もたれ２と連動して肘掛け４全体が前後に移動するようになっている。肘掛け４の肘掛け本体４ａの後端が回転軸４０にて回転自在に連結してあり、肘掛け本体４ａの前部と座部３とがリンク４１にて連結してある。これにより図１６（ａ）（ｂ）に示すように背もたれ２のリクライニング状態に応じて肘掛け４が連動して前後に移動する。これにより背もたれ２に連動して突起部３０としての手用突起部３０ａと合谷のつぼ３１が合致するだけでなく、手や腕のマッサージを行わない時でも背もたれ２に対応した位置に肘掛け４が位置して普通の肘掛けの機能としても使いやすい。
【００３４】
次に図１７、図１８の実施の形態の例について述べる。本例も図１乃至図３に示す例と基本的に同じであり、共通するところは説明を省略して異なる点だけを主に述べる。カバー片６の下面及び肘掛け本体４ａの上面にはマッサージ手段７，８が設けられるが、カバー片６の下面に設けるマッサージ手段７は肘幅方向に並んだ２つのマッサージ手段７ａ，７ｂで構成されている。この２つのマッサージ手段７ａ，７ｂは本例の場合、膨張、収縮可能な空気袋４２，４３で構成されており、空気供給管２１，２２により圧縮空気供給手段２３から空気が供給されるようになっている。カバー片６を開いてカバー片６と肘掛け本体４ａとの間の手や腕を挟持し、マッサージ手段７ａ，７ｂ及びマッサージ手段８を駆動してマッサージを行うのであるが、２つのマッサージ手段７ａ，７ｂとしての２つの空気袋４２，４３で腕を掴むようにマッサージを行うことができて強いマッサージを行うことができる。本例の場合、２つのマッサージ手段７ａ，７ｂは圧縮空気により膨張して人体に圧迫を与える空気袋４２，４３としたが、施療体が出入りして人体を押圧する方法であってもよい。
【００３５】
また図１９は実施の形態の他の例を示す。２つのマッサージ手段７ａ，７ｂとしての空気袋４２，４３は施療者の腕４５の中心線両側に夫々配置されており、動作の支点４６が腕４５の中心線側に位置させてある。この場合、図１９（ａ）の状態から図１９（ｂ）の状態になるように空気袋４２，４３が膨張するが、空気袋４２，４３の膨張時に支点４６が腕４５の中心側にあるため、腕４５を外側から掴むマッサージを行うことができ、腕上部の筋肉に対して効果的なマッサージを行うことができる。つまり、人体の腕４５の特に疲れやすいとされる腕上部の筋肉（腕撓骨筋）に対して、人が実際にマッサージするような腕を外側から掴むというマッサージを行うことができる。またマッサージ手段７ａ，７ｂとして図２０に示すような施療体５０が出入りして人体を押圧する方法などの空気袋４２，４３以外の手段に対しても同様の効果がある。
【００３６】
また他の例として図２１に示すようにマッサージ手段７ａ，７ｂとして空気袋４２，４３の背方に空気袋４２，４３の位置を調整する位置調整手段４７を備えており、腕４５の太さに対して空気袋４２，４３の位置を調整して一定のマッサージ感を出すことができるようになっている。図２１（ａ）は太い腕４５の場合で、図２１（ｂ）は細い腕４５の場合である。このように位置調整手段４７により空気袋４２，４３の位置を調整するものの場合、腕４５の太さによるマッサージ感の違い（例えば太い人は痛く、細い人は弱い）を解消でき、どのような人でも安定したマッサージ感を与えることが可能となる。
【００３７】
また他の例として図２２に示すようにマッサージ手段７ａ，７ｂとしての空気袋４２，４３に突起状の施療子４８を備えており、腕４５の疲れている部分に対してより強い刺激を与える効果的なマッサージを行うことができるようになっている。このようにすると、腕４５の上部の全体のマッサージに加え、腕上部の筋肉（腕撓骨筋）の中の手三里や曲池、四とくというようなつぼに対してより強い刺激を与えることができる。
【００３８】
また他の例として位置調整手段４７として図２３に示すように膨張、収縮可能な空気袋４７ａとしてもよい。この場合、位置調整手段４６の駆動手段としてマッサージ手段７ａ，７ｂ，８と同じ駆動源も用いることができ、別の駆動源を設ける必要がないため、機器配置に対する省スペース化が実現できる。また空気袋４６ａを用いることで人が行うや柔らかなマッサージ感を出すことが可能である。
【図面の簡単な説明】
【００３９】
【図１】本発明の実施の形態の一例の椅子式マッサージ機の全体を示す側面図である。
【図２】同上の肘掛け部分を拡大し、カバー片を開いた状態の一部切欠側面図である。
【図３】同上の肘掛け部分を拡大し、カバー片を閉じた状態の一部切欠側面図である。
【図４】同上の他の例の全体を示す正面図である。
【図５】同上の他の例の全体を示す側面図である。
【図６】同上の他の例の要部を拡大せる側面図である。
【図７】同上の他の例の要部を拡大せる側面図である。
【図８】同上の他の例全体を示す側面図である。
【図９】同上の肘掛け部分を拡大し、カバー片を開いた状態の一部切欠側面図である。
【図１０】同上の肘掛け部分を拡大し、カバー片を閉じた状態の一部切欠側面図である。
【図１１】同上の他の例の全体を示す正面図である。
【図１２】同上の他の例の全体を示す側面図である。
【図１３】同上の他の例を説明する要部の拡大斜視図である。
【図１４】同上の他の例を説明する要部の拡大斜視図である。
【図１５】同上の他の例の全体を示す側面図である。
【図１６】（ａ）（ｂ）は同上の他の例を説明する側面図である。
【図１７】同上の他の例の肘掛け部分を拡大し、カバー片を開いた状態を示し、（ａ）は側面図、（ｂ）は正面図である。
【図１８】図１７の状態からカバー片を閉じた状態を示し、（ａ）は側面図、（ｂ）は正面図である。
【図１９】（ａ）（ｂ）は同上の他の例の要部の一部切欠正面図である。
【図２０】（ａ）（ｂ）は同上の他の例の要部の一部切欠正面図である。
【図２１】（ａ）（ｂ）は同上の他の例の要部の一部切欠正面図である。
【図２２】（ａ）（ｂ）は同上の他の例の要部の一部切欠正面図である。
【図２３】同上の他の例の一部切欠正面図である。
【符号の説明】
【００４０】
１  椅子
２  背もたれ
３  座面
４  肘掛け
４ａ  肘掛け本体
５  オットマン
６  カバー片
７  マッサージ手段
８  マッサージ手段
【図１】
2005177279.tif 000003
【図２】
2005177279.tif 000004
【図３】
2005177279.tif 000005
【図４】
2005177279.tif 000006
【図５】
2005177279.tif 000007
【図６】
2005177279.tif 000008
【図７】
2005177279.tif 000009
【図８】
2005177279.tif 000010
【図９】
2005177279.tif 000011
【図１０】
2005177279.tif 000012
【図１１】
2005177279.tif 000013
【図１２】
2005177279.tif 000014
【図１３】
2005177279.tif 000015
【図１４】
2005177279.tif 000016
【図１５】
2005177279.tif 000017
【図１６】
2005177279.tif 000018
【図１７】
2005177279.tif 000019
【図１８】
2005177279.tif 000020
【図１９】
2005177279.tif 000021
【図２０】
2005177279.tif 000022
【図２１】
2005177279.tif 000023
【図２２】
2005177279.tif 000024
【図２３】
2005177279.tif 000025